(57)【特許請求の範囲】
【請求項１】
下り傾斜方向に沿って形成された傾斜導入通路に沿って太径または細径の商品を導入する自動販売機において、傾斜導入通路の側壁面に奥側ほど上方となるように斜めに形成された第１の長孔にその手前側部分が案内され、傾斜導入通路の側壁面における前記第１の長孔よりも奥側に形成された第２の長孔にその奥側部分が案内され、傾斜導入通路に導入された太径の商品に対しては当接し細径の商品に対しては当接しない高さに配置される太径用当接部材と、前記太径用当接部材の奥側部分より下方に突出するように一体的に取り付けられて太径の商品だけでなく細径の商品に対しても当接する両用当接部材とを備え、前記第２の長孔には、太径用当接部材の手前側部分が第１の長孔の下端部にある状態で細径の商品が両用当接部材に当接した際に太径用当接部材の奥側部分が当接して細径の商品の通過を阻止させる規制壁部と、太径の商品が太径用当接部材に当接してその手前側部分が第１の長孔の上部側に移動した後に太径用当接部材の奥側部分が上方に回動する軌跡に設けられて太径の商品の通過を許容する円弧溝部とが形成された自動販売機の商品通路規制装置。
【請求項２】
下り傾斜勾配の傾斜ガイドにより構成され、前記下り傾斜方向に沿って太径または細径の商品を奥側に流しながら後続の収納搬送通路へ向けて供給する傾斜導入通路と、傾斜導入通路に導入された商品に対して太径の商品の通過は許容しながら細径の商品の通過は阻止する導入通路規制手段と、前記傾斜ガイドを手前寄り位置と奥寄り位置とに切換自在として、奥寄り位置に配置させた際に細径の商品の通過は許容しながら太径の商品の前記収納搬送通路への通過は阻止する搬送通路規制手段と、この搬送通路規制手段と導入通路規制手段とを連動させて、傾斜ガイドを手前寄り位置に配置させた際に前記導入通路規制手段にて細径の商品の通過を阻止させる連動手段とを備えた自動販売機の商品通路規制装置。
【請求項３】
導入通路規制手段は、傾斜導入通路の側壁面に奥側ほど上方となるように斜めに形成された第１の長孔にその手前側部分が案内され、傾斜導入通路の側壁面における前記第１の長孔よりも奥側に形成された第２の長孔にその奥側部分が案内され、傾斜導入通路に導入された太径の商品に対しては当接し細径の商品に対しては当接しない高さに配置される太径用当接部材と、前記太径用当接部材の奥側部分より下方に突出するように一体的に取り付けられて太径の商品だけでなく細径の商品に対しても当接する両用当接部材とを備え、前記第２の長孔には、太径用当接部材の手前側部分が第１の長孔の下端部にある状態で細径の商品が両用当接部材に当接した際に太径用当接部材の奥側部分が当接して細径の商品の通過を阻止させる規制壁部と、太径の商品が太径用当接部材に当接してその手前側部分が第１の長孔の上部側に移動した後に太径用当接部材の奥側部分が上方に回動する軌跡に設けられて太径の商品の通過を許容する円弧溝部とが形成されている請求項２に記載の自動販売機の商品通路規制装置。
【請求項４】
連動手段は、傾斜ガイドの側面部に形成されて、傾斜ガイドが奥寄り位置に配置された際に、太径用当接部材の手前側部分に当接してこの太径用当接部材の手前側部分を第１の長孔の上部側に移動させる傾斜縁である請求項３に記載の自動販売機の商品通路規制装置。
【請求項５】
傾斜ガイドの切換動作により、商品払出箇所の通路幅の切換動作も連動するように構成した請求項２〜４の何れかに記載の自動販売機の商品通路規制装置。
【発明の詳細な説明】
【０００１】
【発明の属する技術分野】
本発明は自動販売機の商品通路規制装置に関する。
【０００２】
【従来の技術】
一般に、缶飲料などの商品を扱う自動販売機は、図７、図８に示すような構造とされている。
すなわち、前面扉１により前面開口部が開閉される自動販売機本体２内には商品収納部３が前後複数列設けられ、さらに各商品収納部３内には、飲料が入った缶などの商品４を商品入口部５から所定の下り傾斜方向に沿って流しながら奥側へ向けて導入する傾斜導入通路６と、この傾斜導入通路６の奥部に接続され、略上下方向に蛇行するように延びて商品４を下方に搬送させながら収納する収納搬送路７とが、それぞれ複数配設されている。また、商品収納部３の下端部には、収納した商品４を下方から順次払い出す商品払出装置８が設けられており、商品払出装置８にて払い出された商品４はシュート９により案内されて商品取出口１０に払い出されるようになっている。
【０００３】
傾斜導入通路６はその底面部が傾斜ガイド１１により形成され、傾斜ガイド１１の前端部および後端部は、図８〜図１０に示すように、商品収納部３の側板３ａに形成された異形孔１２ならびに長孔１３に挿通された横軸１４、１５が取り付けられている。そして、この異形孔１２ならびに長孔１３の前端部に横軸１４、１５が位置するように傾斜ガイド１１を手前寄り位置に配置することで、傾斜導入通路６と収納搬送路７との接続部１６における奥行方向の寸法Ｌを太径の商品４Ａでも通過できる寸法Ｌ１に設定する一方、異形孔１２ならびに長孔１３の後端部に横軸１４、１５が位置するように傾斜ガイド１１を奥寄り位置に配置することで、傾斜導入通路６と収納搬送路７との接続部１６における奥行方向の寸法が細径の商品４Ｂだけが通過できる寸法Ｌ２となるように設定している。すなわち、傾斜ガイド１１を奥側寄り位置に配置することにより、誤って太径の商品４Ａを商品入口部５から導入した場合でも、この太径の商品４Ａが接続部１６を介して収納搬送路７に流れないように規制している。
【０００４】
しかし、上記従来構成の自動販売機によれば、傾斜ガイド１１を手前寄り位置、すなわち太径の商品４Ａに合うように配置した状態で、誤って細径の商品４Ｂを商品入口部５から導入した場合には、細径の商品４Ｂはそのまま接続部１６を通過して収納搬送路７に流れてしまい、この場合に収納搬送路７内で商品が立ってしまって商品詰まりを生じると、商品収納部３を分解、組み立てしなければならないなど、多くの手間や時間がかかってしまう。また、うまく収納搬送路７を通過した場合でも、商品払出装置８が設けられている通路の幅が細径の商品４Ｂに合っていないため、細径商品４Ｂが１度に多数出てしまうことがある。
【０００５】
これに対処するものとして、本出願人は、特開平１１−３４５９号公報に示すように、太径の商品４Ａの通過は許容しながら細径の商品４Ｂの通過は阻止する商品通路規制装置を既に出願している。この自動販売機における商品通路規制装置は、図１１に示すように、樋状の傾斜ガイド２１の側壁２１ａに、傾斜ガイド２１の底部２１ｂからの高さｈ3が、導入された太径の商品４Ａの直径Ｄより高い高さｈ3を支点２２ａとし、この支点２２ａより傾斜ガイド２１奥側へ向けて下方に傾斜し末端高さが太径商品４Ａの直径Ｄより低く、かつ細径商品４Ｂの直径ｄより高く、円弧状長孔２３の下端により支持された第１のレバー２２が、太径商品４Ａの外面に接触可能に設けられ、さらに、この第１のレバー２２の末端に第２のレバー２４が相対回転可能にヒンジピン２５などで連接されているものである。
【０００６】
第２のレバー２４はガイド奥側へ向けてさらに下方に傾斜して末端２４ａの高さが細径商品４Ｂの直径Ｄより低く支持され、この末端２４ａに傾斜ガイド２１の側壁２１ａ間を横断するロッド２６が設けられている。そして、第２のレバー２４の末端２４ａの回転軌道が、第１のレバー２２の末端の略最高位置となった時のヒンジピン２５（図１３参照）を中心とする円周軌道Ｐに規制され、この円周軌道Ｐの規制部の下端に第２のレバー２４の移動をこのレバー長さ方向に許容する長さ方向規制部Ｑを設けた構成とされている。
【０００７】
また、図１２に示すように、第１のレバー２２および第２のレバー２４の下面側には側方に延びる当接板部２２ｂ、２４ｂが設けられている。
この構成において、太径商品４Ａを導入した場合は、図１３、図１４に示すように、太径商品４Ａにより、第１のレバー２２が押し上げられて、その末端が円弧状長孔２３の略最高位置となり、第２のレバー２４の末端２４ａが円周軌道Ｐの下端に位置した後に、第２のレバー２４が押し上げられるため、第２のレバー２４は支障なく押し上げられて、太径商品４Ａの通過が許容される。
【０００８】
一方、細径商品４Ｂを導入した場合には、図１１に示すように、第２のレバー２４の末端２４ａが長さ方向規制部Ｑに位置した状態で、細径商品１４Ｂが第２のレバー２４に当接するため、細径商品４Ｂの通過が阻止され、この結果、細径商品４Ｂが収納搬送路７に流れ込むことが防止される。
この構成によれば、太径商品４Ａは通しながら、細径商品４Ｂの通過を規制することができる。
【０００９】
【発明が解決しようとする課題】
しかしながら、上記図１１〜図１４に示す構成の商品通路規制装置では、２つのレバー２２、２４と、これらの端部ならびに連結部に支点２２ａ、ロッド２６、ヒンジピン２５との多数の部品が必要であるため、その分だけ製造コストの増加を招くという課題があった。
【００１０】
また、この構成を採用するに際して、細径商品４Ｂを商品収納部３に供給しようとする場合には、上記機構が働かないように、例えば、ヒンジピン２５が円弧状長孔２３の略最高位置に維持させるような機構が別途必要となる。しかし、このような機構をヒンジピン２５近傍に設けただけでは、通常位置ではその機構まで手が届かなくなるため、操作性が悪くて操作する際に多くの手間や時間がかかってしまう。
【００１１】
また、これに対処する方法として、同じく特開平１１−３４５９号公報に開示されているように、商品収納部３の出口部分において商品払出装置に対向して配置されている出口ガイドに上記機構を連動させることが考えられるが、出口ガイドは通常見え難い箇所にあるため、その設定が正確に行われているかどうかを確認しようとすると、複数列の商品収納部３群を手前に引き出さなければならず、この場合にも多くの手間や時間がかかってしまう。
【００１２】
本発明は上記問題を解決するもので、製造コストの増加を最小限に済ますことができ、また、商品切換の際でも適正な姿勢に容易に設定変更することができる自動販売機の商品通路規制装置を提供することを目的とするものである。
【００１３】
【課題を解決するための手段】
上記課題を解決するために本発明の請求項１記載の自動販売機の商品通路規制装置は、下り傾斜方向に沿って形成された傾斜導入通路に沿って太径または細径の商品を導入する自動販売機において、傾斜導入通路の側壁面に奥側ほど上方となるように斜めに形成された第１の長孔にその手前側部分が案内され、傾斜導入通路の側壁面における前記第１の長孔よりも奥側に形成された第２の長孔にその奥側部分が案内され、傾斜導入通路に導入された太径の商品に対しては当接し細径の商品に対しては当接しない高さに配置される太径用当接部材と、前記太径用当接部材の奥側部分より下方に突出するように一体的に取り付けられて太径の商品だけでなく細径の商品に対しても当接する両用当接部材とを備え、前記第２の長孔には、太径用当接部材の手前側部分が第１の長孔の下端部にある状態で細径の商品が両用当接部材に当接した際に太径用当接部材の奥側部分が当接して細径の商品の通過を阻止させる規制壁部と、太径の商品が太径用当接部材に当接してその手前側部分が第１の長孔の上部側に移動した後に太径用当接部材の奥側部分が上方に回動する軌跡に設けられて太径の商品の通過を許容する円弧溝部とが形成されたものである。
【００１４】
この構成により、第１の長孔と第２の長孔とにて案内される太径用当接部材と、この太径用当接部材に一体的に取り付けられる両用当接部材との、簡単な構造で商品通路規制装置を構成することができる。
請求項２記載の自動販売機の商品通路規制装置は、下り傾斜勾配の傾斜ガイドにより構成され、前記下り傾斜方向に沿って太径または細径の商品を奥側に流しながら後続の収納搬送通路へ向けて供給する傾斜導入通路と、傾斜導入通路に導入された商品に対して太径の商品の通過は許容しながら細径の商品の通過は阻止する導入通路規制手段と、前記傾斜ガイドを手前寄り位置と奥寄り位置とに切換自在として、奥寄り位置に配置させた際に細径の商品の通過は許容しながら太径の商品の前記収納搬送通路への通過は阻止する搬送通路規制手段と、この搬送通路規制手段と導入通路規制手段とを連動させて、傾斜ガイドを手前寄り位置に配置させた際に前記導入通路規制手段にて細径の商品の通過を阻止させる連動手段とを備えたものである。
【００１５】
この構成により、傾斜ガイドを手前寄り位置に配置させると、連動する導入通路規制手段にて細径商品の通過が阻止され、傾斜ガイドを奥寄り位置に配置させると、搬送通路規制手段にて太径商品の通過が阻止され、このように傾斜ガイドを切換動作させるだけで両商品に対する規制動作を実行させることができる。
請求項３記載の発明は、請求項２に記載の自動販売機の商品通路規制装置において、導入通路規制手段は、傾斜導入通路の側壁面に奥側ほど上方となるように斜めに形成された第１の長孔にその手前側部分が案内され、傾斜導入通路の側壁面における前記第１の長孔よりも奥側に形成された第２の長孔にその奥側部分が案内され、傾斜導入通路に導入された太径の商品に対しては当接し細径の商品に対しては当接しない高さに配置される太径用当接部材と、前記太径用当接部材の奥側部分より下方に突出するように一体的に取り付けられて太径の商品だけでなく細径の商品に対しても当接する両用当接部材とを備え、前記第２の長孔には、太径用当接部材の手前側部分が第１の長孔の下端部にある状態で細径の商品が両用当接部材に当接した際に太径用当接部材の奥側部分が当接して細径の商品の通過を阻止させる規制壁部と、太径の商品が太径用当接部材に当接してその手前側部分が第１の長孔の上部側に移動した後に太径用当接部材の奥側部分が上方に回動する軌跡に設けられて太径の商品の通過を許容する円弧溝部とが形成されているものである。
【００１６】
この構成により、導入通路規制手段を、第１の長孔と第２の長孔とにて案内される太径用当接部材と、この太径用当接部材に一体的に取り付けられる両用当接部材との、簡単な構造にすることができる。
請求項４記載の発明は、請求項３に記載の自動販売機の商品通路規制装置において、連動手段は、傾斜ガイドの側面部に形成されて、傾斜ガイドが奥寄り位置に配置された際に、太径用当接部材の手前側部分に当接してこの太径用当接部材の手前側部分を第１の長孔の上部側に移動させる傾斜縁であるものである。
【００１７】
この構成により、傾斜ガイドの側面部に傾斜縁を形成するだけの簡単な構成で連動手段を実現できる。
請求項５記載の発明は、請求項２〜４の何れかに記載の自動販売機の商品通路規制装置において、傾斜ガイドの切換動作により、商品払出箇所の通路幅の切換動作も連動するように構成したものである。
【００１８】
この構成により、導入通路の規制動作や収納搬送通路への規制動作だけでなく、商品払出箇所の通路幅の切換動作も連動させることができる。
【００１９】
【発明の実施の形態】
以下、本発明の実施の形態にかかる自動販売機の商品通路規制装置を図面に基づき説明する。なお、従来の自動販売機と同様の機能のものには同符号を付し、その説明は一部省略する。
図１〜図５に示すように、この自動販売機の商品通路規制装置には、下り傾斜勾配の傾斜ガイド３１により構成され、前記下り傾斜方向に沿って太径または細径の商品４（４Ａ，４Ｂ）を奥側に流しながら後続の収納搬送通路７へ向けて導入する傾斜導入通路６と、傾斜導入通路６に導入された商品４に対して太径の商品４Ａの通過は許容しながら細径の商品４Ｂの通過は阻止する導入通路規制手段４０と、傾斜ガイド３１を手前寄り位置と奥寄り位置とに切換自在として、奥寄り位置に配置させた際に細径の商品４Ｂの通過は許容しながら太径の商品４Ａの収納搬送通路７への通過は阻止する搬送通路規制手段５０と、傾斜ガイド３１の切換動作に連動させて、傾斜ガイド３１を手前寄り位置に配置させた際に導入通路規制手段４０を作動させて細径の商品４Ｂの通過を阻止させる連動手段６０とが備えられている。
【００２０】
導入通路規制手段４０は、太径用当接部材４２と両用当接部材４４とから構成されている。太径用当接部材４２は、商品収納部３の側板３ａに奥側ほど上方となるように斜めに形成された第１の長孔４１にその手前端に一体形成された手前側カール部４２ａが案内され、側板３ａにおける第１の長孔４１よりも奥側に形成された第２の長孔４３にその奥端に一体形成された奥側カール部４２ｂが案内され、傾斜導入通路６において太径の商品４Ａに対しては当接し細径の商品４Ｂに対しては当接しない高さに配置されている。両用当接部材４４は、太径用当接部材４２の奥側カール部４２ｂより奥側斜め下方に突出するように一体的に固着されて太径の商品４Ａだけでなく細径の商品４Ｂに対しても当接するように構成されている。
【００２１】
第２の長孔４３には、傾斜ガイド３１の床面からの高さが、第１の長孔４１の下端部と同じ高さで奥側に延びるように形成された直線状溝部４３ａと、この直線状溝部４３ａの奥端から斜め上方に向けて円弧状に延びる円弧溝部４３ｂとが形成されている。そして、直線状溝部４３ａの一部が上方に少しだけ窪む規制壁部４３ｃとされ、この規制壁部４３ｃは、図４に示すように、太径用当接部材４２の手前側カール部４２ａが第１の長孔４１の下端部にある状態で細径の商品４Ｂが両用当接部材４４に当接した際に、太径用当接部材４２の奥側カール部４２ｂが当接して奥行方向の移動を確実に阻止し、この結果、細径の商品４Ｂの通過を阻止させるようになっている。
【００２２】
また、円弧溝部４３ｂは、図３に示すように、太径の商品４Ａが太径用当接部材４２に当接してその手前側カール部４２ａが第１の長孔４２の上端部に移動した後に太径用当接部材４２の奥側カール部４２ｂが上方に回動する軌跡に設けられており、上述したように太径の商品４Ａが太径用当接部材４２に当接した際には、太径用当接部材４２の奥側カール部４２ｂが円弧溝部４３ｂに沿って回動することにより、太径の商品４Ａの通過を許容するようになっている。
【００２３】
搬送通路規制手段５０は、従来のものと同様に、図１に示すように、傾斜ガイド３１の前端部および後端部に、商品収納部３の側板３ａに形成された異形孔１２ならびに長孔１３に挿通された横軸１４、１５を取り付けた構成とされている。そして、この異形孔１２ならびに長孔１３の前端部に横軸１４、１５が位置するように傾斜ガイド３１を手前側に配置することで、傾斜導入通路６と収納搬送路７との接続部１６における奥行方向の寸法Ｌを太径の商品４Ａでも通過できる寸法に設定する一方、異形孔１２ならびに長孔１３の後端部に横軸１４、１５が位置するように傾斜ガイド３１を奥側寄りに配置することで、傾斜導入通路６と収納搬送路７との接続部１６における奥行方向の寸法Ｌが細径の商品４Ｂだけが通過できる寸法となるように設定している。
【００２４】
また、連動手段６０としては、傾斜ガイド３１の両側部に側面部３１ａが形成されているとともに、この側面部３１ａの奥端部に傾斜縁３１ｂが形成されており、図５において仮想線で示すように、傾斜ガイド３１が奥寄り位置に配置された際に、太径用当接部材４２の手前側カール部４２ａに前記傾斜縁３１ｂが当接してこの手前側カール部４２ａを第１の長孔４１の上端部に移動させるようになっている。
【００２５】
上記構成において、傾斜ガイド３１を手前寄り位置に配置した状態で、太径商品４Ａを傾斜導入通路６に導入すると、図３に示すように、まず、太径の商品４Ａが太径用当接部材４２に当接してその手前側カール部４２ａが第１の長孔４２の上端部に移動し、太径用当接部材４２の奥側カール部４２ｂが円弧溝部４３ｂの下端部に位置する。したがって、太径の商品４Ａがさらに流れていく際に、太径用当接部材４２の奥側カール部４２ｂは円弧溝部４３ｂに沿って上方に移動できるため、太径の商品４Ａは、導入通路規制手段４０が設けられている箇所の通過を許容される。そして、さらに傾斜導入通路６と収納搬送路７との接続部１６においては、奥行方向寸法Ｌが太径の商品４Ａでも通過できる寸法Ｌ１に設定されているため、太径の商品４Ａは支障なく収納搬送路７に搬送される。
【００２６】
傾斜ガイド３１を手前寄り位置に配置した状態で、誤って細径商品４Ｂが傾斜導入通路６に導入されると、図４に示すように、細径商品４Ｂは太径用当接部材４２ｂの下方を通った後に両用当接部材４４に当接する。この際、太径用当接部材４２の手前側カール部４２ａは第１の長孔４２の下端にあるままであるため、太径用当接部材４２の奥側カール部４２ｂが第２の長孔４３の規制壁部４３ｃに当接して細径商品４Ｂの通過が阻止され、この結果、細径商品４Ｂが収納搬送路７に導入されることが防止される。
【００２７】
傾斜ガイド３１を奥寄り位置に配置すると、図５に示すように、太径用当接部材４２の手前側カール部４２ａに傾斜ガイド３１の傾斜縁３１ｂが当接してこの手前側カール部４２ａが第１の長孔４１の上端部に移動される。また、傾斜導入通路６と収納搬送路７との接続部１６においては、奥行方向寸法Ｌが細径商品４Ｂだけが通過できる寸法Ｌ２に設定される。
【００２８】
この状態で、誤って太径商品４Ａが傾斜導入通路６に導入されると、太径の商品４Ａが太径用当接部材４２に当接した際にその奥側カール部４２ｂが円弧溝部４３ｂに沿うように押し上げられ、この結果、導入通路規制手段４０が設けられている箇所の通過を許容される。しかし、傾斜導入通路６と収納搬送路７との接続部１６においては、奥行方向寸法Ｌが細径商品４Ｂだけが通過できる寸法Ｌ２に設定されているため、この箇所で太径商品４Ａの通過が阻止され、この結果、太径商品４Ａが収納搬送路７に導入されることが防止される。
【００２９】
また、上記状態で、細径商品４Ｂが傾斜導入通路６に導入されると、細径商品４Ｂが両用当接部材４４に当接するが、この際に、既に太径用当接部材４２の手前側カール部４２ａが第１の長孔４１の上端部に移動されているため、太径用当接部材４２はその奥側カール部４２ｂが円弧溝部４３ｂに沿うように両用当接部材４４とともに押し上げられ、この結果、導入通路規制手段４０が設けられている箇所の通過を許容される。そして、さらに傾斜導入通路６と収納搬送路７との接続部１６においては、奥行方向寸法Ｌが細径商品４Ｂが通過できる寸法Ｌ２に設定されているため、細径商品４Ｂは支障なく収納搬送路７に搬送される。
【００３０】
このように、傾斜ガイド３１を手前寄り位置に配置すると、太径の商品４Ａだけが良好に収納搬送路７に導入され、傾斜ガイド３１を奥寄り位置に配置すると、細径の商品４Ｂだけが良好に収納搬送路７に導入される。これにより、誤投入された細径の商品４Ｂや太径の商品４Ａが収納搬送路７に導入されることを確実に防止することができ、従来のように、細径商品４Ｂが収納搬送路７内で立ってしまって商品詰まりを生じたり、細径商品４Ｂが１度に多数出てしまうこともない。
【００３１】
また、前面扉１を開けると、傾斜ガイド３１の前端部は良好に見えるため、傾斜ガイド３１を手前寄り位置や奥寄り位置に切換えた際でも、これが目で容易に確認できて、操作性も良好であり、信頼性が向上する。
また、導入通路規制手段４０は、第１の長孔４１と第２の長孔４３とにて案内される太径用当接部材４２と、この太径用当接部材４２に一体的に取り付けられる両用当接部材４４との、簡単な構造であるため、製造コストの増加も最小限に抑えられる。なお、さらに太径用当接部材４２と両用当接部材４４とを一体化してもよいが、これに限るものではなく、手前側カール部４２ａや奥側カール部４２ｂを軸体で構成した後に固着してもよく、奥側カール部４２ｂに該当する軸体を先に両用当接部材４４に固着した後に太径用当接部材４２に固着してもよい。
【００３２】
また、連動手段６０として、傾斜ガイド３１の側面部３１ａの奥端部に傾斜縁３１ｂを形成し、傾斜ガイド３１が奥寄り位置に配置された際に、太径用当接部材４２の手前側カール部４２ａに前記傾斜縁３１ｂが当接してこの手前側カール部４２ａを第１の長孔４１の上端部に移動させるようにしただけの簡単な構成であるため、製造コストの上昇を最小限に抑えられるとともに、導入通路規制手段４０と搬送通路規制手段５０とを、確実に連動させることができて信頼性も良好である。また、傾斜ガイド３１の切換動作によるだけで、導入通路規制手段４０と搬送通路規制手段５０とを確実に連動させることができるため、操作性も良好である。
【００３３】
なお、上記実施の形態においては、傾斜ガイド３１の切換動作により、導入通路規制手段４０と搬送通路規制手段５０とを連動させた場合を述べたが、これに限るものではなく、傾斜ガイド３１の切換動作を、商品払出装置８が設けられている商品払出箇所の通路幅を切換える出口ガイド６３に連動させる連動アーム６１、６２、６４を設けてもよく、これによれば、出口ガイド６３による商品４に対する規制動作も連動されるため、さらに信頼性が向上するとともに、傾斜ガイド３１の切換動作で全ての箇所の規制動作を良好に連動させることができるため、操作性も良好となる。
【００３４】
【発明の効果】
以上のように本発明によれば、傾斜導入通路に導入された商品に対して太径の商品の通過は許容しながら細径の商品の通過は阻止する機能を有する装置を、第１の長孔と第２の長孔とにて案内される太径用当接部材と、この太径用当接部材に一体的に取り付けられる両用当接部材とにより構成することで、簡単な構造とすることができて、製造コストの増加を最小限に抑えられる。
【００３５】
また、傾斜導入通路に導入された商品に対して太径の商品の通過は許容しながら細径の商品の通過は阻止する導入通路規制手段と、前記傾斜ガイドを手前寄り位置と奥寄り位置とに切換自在として、奥寄り位置に配置させた際に細径の商品の通過は許容しながら太径の商品の前記収納搬送通路への通過は阻止する搬送通路規制手段とを連動させるように構成することにより、誤投入された細径の商品や太径の商品が収納搬送路に導入されることを確実に防止することができ、しかも、傾斜ガイドを手前寄り位置や奥寄り位置に切換えた際でも、これが目で容易に確認できるため、操作性も良好であり、信頼性が向上する。
【００３６】
また、連動手段として、傾斜ガイドの側面部奥端に傾斜縁を形成し、この傾斜縁に太径用当接部材の手前側部分が当接可能に構成しただけの簡単な構成であるため、製造コストの上昇を最小限に抑えられるとともに、信頼性も良好である。さらに、傾斜ガイドの切換動作にて、商品払出箇所の通路幅の切換動作も連動させるように構成することにより、さらに信頼性が向上するとともに、傾斜ガイドの切換動作で全ての箇所の規制動作を良好に連動させることができるため、操作性も良好となる。
【図面の簡単な説明】
【図１】本発明の実施の形態にかかる自動販売機の商品通路規制装置を示す側面図である。
【図２】（ａ）および（ｂ）は、同商品通路規制装置の太径用当接部材と両用当接部材との平面図および側面図である。
【図３】同商品通路規制装置に太径の商品を導入した場合を示す要部側面図である。
【図４】同商品通路規制装置に細径の商品を導入した場合を示す要部側面図である。
【図５】同商品通路規制装置の作用を説明するための側面図である。
【図６】本発明の他の実施の形態にかかる自動販売機の商品通路規制装置を示す側面図である。
【図７】従来の自動販売機の側面断面図である。
【図８】同従来の自動販売機の商品収納部を示す側面断面図である。
【図９】従来の自動販売機における傾斜ガイドおよびその近傍箇所を示す側面図である（太径商品導入時）。
【図１０】従来の自動販売機における傾斜ガイドおよびその近傍箇所を示す側面図である（細径商品導入時）。
【図１１】従来の自動販売機の商品通路規制装置を示す要部側面図である。
【図１２】同従来の自動販売機の商品通路規制装置の第１のレバーおよび第２のレバーなどを示す斜視図である。
【図１３】同従来の自動販売機の商品通路規制装置における太径の商品が流れる際の様子を示す要部側面図である。
【図１４】同従来の自動販売機の商品通路規制装置における太径の商品が流れる際の様子を示す要部側面図である。
【符号の説明】
４          商品
４Ａ        太径の商品
４Ｂ        細径の商品
６          傾斜導入通路
７          収納搬送通路
１６        接続部
３１        傾斜ガイド
３１ｂ      傾斜縁
４０        導入通路規制手段
４１        第１の長孔
４２        太径用当接部材
４２ａ      手前側カール部（手前側部分）
４２ｂ      奥側カール部（奥側部分）
４３        第２の長孔
４３ａ      直線状溝部
４３ｂ      円弧溝部
４３ｃ      規制壁部
４４        両用当接部材
５０        搬送通路規制手段
６０        連動手段
【図１】
0003907352.tif 000002
【図２】
0003907352.tif 000003
【図３】
0003907352.tif 000004
【図４】
0003907352.tif 000005
【図５】
0003907352.tif 000006
【図６】
0003907352.tif 000007
【図７】
0003907352.tif 000008
【図８】
0003907352.tif 000009
【図９】
0003907352.tif 000010
【図１０】
0003907352.tif 000011
【図１１】
0003907352.tif 000012
【図１２】
0003907352.tif 000013
【図１３】
0003907352.tif 000014
【図１４】
0003907352.tif 000015